(57)【特許請求の範囲】
【請求項１】
光を感知する感知部と、
予め決定される赤外線の照射に関する時間情報を記憶する記憶部と、
前記感知部が感知する光のうち、前記時間情報に基づいて前記赤外線が照射されない照射外時間に感知されたと判定される光に関する情報を用いて、色味または露出の調整を実行する調整部と、
前記調整部によって調整された色味または露出を用いて、前記照射外時間に撮影する撮影部と
を有することを特徴とする端末装置。
【請求項２】
前記調整部は、複数の前記照射外時間のうち、前記色味または露出の調整にかかる所定時間以上継続する前記照射外時間に、前記色味または露出を調整することを特徴とする請求項１に記載の端末装置。
【請求項３】
前記撮影部は、前記赤外線が照射される照射時間に撮影操作を受け付けた場合、前記時間情報に基づいて前記照射外時間になるまで撮影を抑止することを特徴とする請求項１または２に記載の端末装置。
【請求項４】
前記時間情報を管理する管理装置に前記時間情報を要求し、前記管理装置に正当なユーザであると認証された場合に、前記管理装置から前記時間情報を取得する取得部をさらに有することを特徴とする請求項１〜３のいずれか一つに記載の端末装置。
【請求項５】
端末装置が、
光を感知し、
予め決定される赤外線の照射に関する時間情報を記憶し、
感知する光のうち、前記時間情報に基づいて前記赤外線が照射されない照射外時間に感知されたと判定される光に関する情報を用いて、色味または露出の調整を実行し、
調整された色味または露出を用いて、照射外時間に撮影する
処理を含んだことを特徴とする撮影制御方法。
【請求項６】
端末装置に、
光を感知し、
予め決定される赤外線の照射に関する時間情報を記憶し、
感知する光のうち、前記時間情報に基づいて前記赤外線が照射されない照射外時間に感知されたと判定される光に関する情報を用いて、色味または露出の調整を実行し、
調整された色味または露出を用いて、照射外時間に撮影する
処理を実行させることを特徴とする撮影制御プログラム。
【発明の詳細な説明】
【技術分野】
【０００１】
本発明は、端末装置、撮影制御方法および撮影制御プログラムに関する。
【背景技術】
【０００２】
近年、劇場やコンサートなどの場所において被写体の不正撮影を防止する技術として、可視領域外でありカメラの撮影素子では検知可能な赤外線を照射して、不正者が撮影した画像の品質を劣化させる技術が知られている。また、異なる波長の複数の単色光を時分割で周期的に発することで、複数の単色光を混合させて、不正者が撮影した画像の品質を劣化させる技術が知られている。
【０００３】
また、監視カメラによる監視を行う美術館などでは、監視カメラの撮影タイミングにあわせて、赤外線照射をＯＮ／ＯＦＦすることにより、不正撮影を防止しつつ、監視カメラの撮影を実行することが行われている。
【先行技術文献】
【特許文献】
【０００４】
【特許文献１】特開２００４−１１１２１３号公報
【発明の概要】
【発明が解決しようとする課題】
【０００５】
しかしながら、劇場やコンサート等では、監視カメラだけではなく、撮影を許可されたマスメディア等のカメラも多く出入りする。したがって、赤外線等を照射すると、正当なカメラで撮影された画像の品質も劣化する。また、これらの正当なカメラの撮影タイミングにあわせて、赤外線照射をＯＮ／ＯＦＦすることは困難である。
【０００６】
１つの側面では、不正な撮影画像の品質を劣化させ、正当な撮影画像の品質劣化を抑制することができる端末装置、撮影制御方法および撮影制御プログラムを提供することを目的とする。
【課題を解決するための手段】
【０００７】
第１の案では、端末装置は、光を感知する感知部と、予め決定される赤外線の照射に関する時間情報を記憶する記憶部とを有する。端末装置は、前記感知部が感知する光のうち、前記時間情報に基づいて前記赤外線が照射されない照射外時間に感知されたと判定される光に関する情報を用いて、色味または露出の調整を実行する調整部を有する。端末装置は、前記調整部によって調整された色味または露出を用いて、前記照射外時間に撮影する撮影部を有する。
【発明の効果】
【０００８】
一実施形態によれば、不正な撮影画像の品質を劣化させ、正当な撮影画像の品質劣化を抑制することができる。
【図面の簡単な説明】
【０００９】
【図１】図１は、実施例１に係る全体構成例を示す図である。
【図２】図２は、実施例１に係る管理装置のハードウェア構成例を示す図である。
【図３】図３は、赤外線照射情報の例を示す図である。
【図４】図４は、実施例１に係る端末装置のハードウェア構成例を示す図である。
【図５】図５は、実施例１に係る端末装置の機能構成を示す機能ブロック図である。
【図６】図６は、実施例１に係る処理の流れを示すシーケンス図である。
【図７】図７は、管理装置が実行する赤外線照射処理の流れを示すフローチャートである。
【図８】図８は、管理装置が実行する認証処理の流れを示すフローチャートである。
【図９】図９は、端末装置が実行する認証処理の流れを示すフローチャートである。
【図１０】図１０は、端末装置が実行する撮影処理の流れを示すフローチャートである。
【図１１】図１１は、タイムチャートを示す図である。
【発明を実施するための形態】
【００１０】
以下に、本願の開示する端末装置、撮影制御方法および撮影制御プログラムの実施例を図面に基づいて詳細に説明する。なお、この実施例によりこの発明が限定されるものではない。
【実施例１】
【００１１】
［全体構成］
図１は、実施例１に係る全体構成例を示す図である。本実施例では、このシステムは、美術館やコンサートなどのように正当なユーザ以外の撮影を禁止する空間の一例として劇場１を例にして説明する。
【００１２】
図１に示すように、劇場１は、演者等が演じる舞台２と観客が鑑賞する席である客席３とを有する。客席３には、赤外線照射装置５および管理装置１０が設置される。管理装置１０は、赤外線照射装置５を制御する管理装置であり、赤外線照射装置５は、劇場１内で赤外線を照射する装置である。
【００１３】
また、客席３には、端末装置２０または端末装置３０を保持するユーザが存在する。端末装置２０および端末装置３０は、静止画や動画などを撮影可能な撮影機能を有する端末装置であり、例えばスマートフォンやカメラなどの一例である。ここで、端末装置２０は、劇場１内での撮影が許可されたマスメディア等の正当なユーザが使用するスマートフォンなどである。端末装置３０は、劇場１内での撮影が許可されていない不正なユーザが使用するスマートフォンなどである。
【００１４】
このような状態において、管理装置１０は、赤外線を照射する時間情報を決定し、照射時間の場合は赤外線照射装置５に赤外線の照射開始を指示し、照射時間以外の場合は赤外線照射装置５に赤外線の照射停止を指示する。赤外線照射装置５は、管理装置１０から制御にしたがって、赤外線の照射および停止を実行する。
【００１５】
また、端末装置２０は、光を感知する感知部と、予め決定される赤外線の照射に関する時間情報を記憶する記憶部とを有する。そして、端末装置２０は、感知する光のうち、時間情報に基づいて赤外線が照射されない時間に感知されたと判定される光に関する情報を用いて、色味または露出の調整を実行する。その後、端末装置２０は、赤外線が照射されない時間帯に調整された色味または露出を用いて、当該時間帯に撮影を実行する。
【００１６】
このように、正当なユーザの端末装置２０は、不正撮影を阻害する赤外線が照射される劇場内において、赤外線照射の時間外に受光した光の情報でホワイトバランスや露出を調整して照射時間外に撮影することができる。したがって、赤外線が照射されない時間帯を知らない不正な撮影画像の品質を劣化させ、赤外線が照射されない時間帯を知る正当な撮影画像の品質劣化を抑制することができる。
【００１７】
［管理装置のハードウェア］
図２は、実施例１に係る管理装置のハードウェア構成例を示す図である。ここでは、一例として、管理装置１０がスマートフォンなどの移動体端末である例を説明するが、これに限定されるものではなく、例えばサーバなどであってもよい。
【００１８】
図２に示すように、管理装置１０は、入力部１１、表示部１２、音声入出力部１３、通信部１４、ＨＤＤ（Hard  Disk  Drive）１５、メモリ１６、プロセッサ１７を有する。なお、ここで説明するハードウェアは一例であり、例えばセンサなどの他のハードウェアを有していてもよい。
【００１９】
入力部１１は、マウスやキーボードの一例であり、ユーザからの各種情報の入力を受け付けて、プロセッサ１７に出力する。表示部１２は、各種情報を表示するディスプレイやタッチパネルなどの表示装置である。音声入出力部１３は、例えばマイクやスピーカなどである。
【００２０】
通信部１４は、アンテナ１４ａを介して、各種無線通信を実行するインタフェースである。また、通信部１４は、ブルートゥース（登録商標）などの近距離無線通信によって、端末装置２０と通信可能に接続する。
【００２１】
ＨＤＤ１５は、各種プログラムや各種データ、ユーザ認証に用いる認証情報などを記憶する記憶装置の一例である。認証情報としては、端末装置２０を識別する様々な識別情報を用いることができ、例えばＩＤやパスワード、端末装置やユーザに割り振られた識別個別番号などを用いることもできる。メモリ１６は、プログラムの展開先などで使用される記憶装置の一例である。
【００２２】
プロセッサ１７は、管理装置１０全体を司る処理部であり、各種プログラムをＨＤＤ１５から読み出してメモリ１６に展開して、各種処理を実行する。例えば、プロセッサ１７は、ユーザ認証を実行する。具体的には、プロセッサ１７は、各端末装置から識別情報を受信し、受信した識別情報がＨＤＤ１５等に記憶されている場合に、正当なユーザが使用する端末装置と認証し、認証結果を応答する。
【００２３】
また、プロセッサ１７は、乱数等を用いて、赤外線を照射する時間と赤外線の照射を停止する時間とを決定し、これらの時間情報を記載した赤外線照射情報を生成する。そして、プロセッサ１７は、赤外線照射情報にしたがって、赤外線照射装置５に対して、赤外線照射を開始または停止を制御する。
【００２４】
さらに、プロセッサ１７は、赤外線照射情報をＨＤＤ１５またはメモリ１６に格納し、通信部１４を介して、赤外線照射情報を端末装置２０に送信する。図３は、赤外線照射情報の例を示す図である。図３に示すように、赤外線照射情報は、「Ｉｎｄｅｘ、時刻、ＯＮ／ＯＦＦ、継続時間」を有する。
【００２５】
「Ｉｎｄｅｘ」は、赤外線照射情報の各レコードを識別する識別子であり、「時刻」は、赤外線照射の制御が実行される時刻である。「ＯＮ／ＯＦＦ」は、赤外線が照射されるか否かを示す情報であり、照射される時間の場合は「１」が設定され、照射されない時間の場合は「０」が設定される。「継続時間」は、赤外線の制御時間を示す。
【００２６】
図３の一例を説明すると、時刻「１０：００：０２：４０」から「２００ｍｓ」間、赤外線を照射し、時刻「１０：００：０２：６０」から「５０ｍｓ」間、赤外線の照射を停止する。
【００２７】
［端末装置のハードウェア］
図４は、実施例１に係る端末装置のハードウェア構成例を示す図である。ここでは、管理装置１０と同様、端末装置２０がスマートフォンなどの移動体端末である例を説明するが、これに限定されるものではなく、例えば無線機能付きのカメラなどであってもよい。
【００２８】
図４に示すように、端末装置２０は、入力部２１、表示部２２、音声入出力部２３、通信部２４、ＨＤＤ２５、メモリ２６、カメラ２７、プロセッサ３０を有する。なお、ここで説明するハードウェアは一例であり、例えばセンサなどの他のハードウェアを有していてもよい。
【００２９】
入力部２１は、マウスやキーボードの一例であり、ユーザからの各種情報の入力を受け付けて、プロセッサ３０に出力する。表示部２２は、各種情報を表示するディスプレイやタッチパネルなどの表示装置である。音声入出力部２３は、例えばマイクやスピーカなどである。
【００３０】
通信部２４は、アンテナ２４ａを介して、各種無線通信を実行するインタフェースである。また、通信部２４は、ブルートゥース（登録商標）などの近距離無線通信によって、管理装置１０と通信可能に接続する。
【００３１】
ＨＤＤ２５は、各種プログラムや各種データ、ユーザ認証に用いる認証情報などを記憶する記憶装置の一例である。ＨＤＤ２５は、認証情報として、管理装置１０に予め登録したＩＤやパスワード、識別子などを記憶する。
【００３２】
メモリ２６は、プログラムの展開先などで使用される記憶装置の一例である。カメラ２７は、被写体の画像や動画を撮影する撮影装置である。
【００３３】
プロセッサ３０は、管理装置１０全体を司る処理部であり、各種プログラムをＨＤＤ２５から読み出してメモリ２６に展開して、各種処理を実行する。例えば、プロセッサ３０は、音声通話、メール送受信、Ｗｅｂアクセス、時刻同期などの一般的な機能に加えて、管理装置１０への認証処理や管理装置１０から受信した赤外線照射情報に基づいて撮影処理などを実行する。
【００３４】
［端末装置の機能構成］
図５は、実施例１に係る端末装置の機能構成を示す機能ブロック図である。図５に示すように、端末装置２０は、認証部３１、時刻補正部３２、取得部３３、赤外線照射情報３４、調整部３５、撮影部３６を有する。
【００３５】
なお、認証部３１、時刻補正部３２、取得部３３、調整部３５、感知部３５ａ、撮影部３６は、プロセッサ３０が有する電子回路やプロセッサ３０が実行するプロセスの一例である。また、赤外線照射情報３４は、メモリ２６などに記憶される。
【００３６】
認証部３１は、管理装置１０に対してユーザ認証を要求する処理部である。具体的には、認証部３１は、端末装置２０のユーザから認証開始などの操作を受け付けると、ＨＤＤ２５に記憶される識別情報を、管理装置１０に送信する。
【００３７】
時刻補正部３２は、図示しない外部の事業者サーバ６などに対して、時刻補正を要求する処理部である。具体的には、時刻補正部３２は、事業者サーバ６から事業者サーバ６の時刻を取得して、端末装置２０の時刻を補正する。なお、時刻補正部３２は、定期的に時刻補正を実行することもでき、認証部３１によってユーザ認証が許可されたタイミングで実行することもできる。
【００３８】
取得部３３は、管理装置１０から赤外線照射情報３４を取得してメモリ２６等に格納する処理部である。例えば、取得部３３は、認証部３１によってユーザ認証が許可されると、管理装置１０に対して、赤外線照射情報３４を要求する。そして、取得部３３は、管理装置１０から、ユーザ認証が許可されていることを条件に、赤外線照射情報３４を取得する。
【００３９】
調整部３５は、カメラ２７のホワイトバランスや露出を調整する処理部である。具体的には、調整部３５は、感知部３５ａが感知した光のうち、赤外線照射情報３４に基づいて赤外線が照射されない時間に感知されたと判定される光に関する情報を用いて、ホワイトバランスや露出の調整を自動で実行する。そして、調整部３５は、調整結果を撮影部３６に出力し、メモリ２６に格納する。
【００４０】
例えば、調整部３５は、赤外線が照射されない時間のうち、調整を実行するのに十分な時間がある時間帯に、ホワイトバランスや露出の調整を実行する。図３の例では、調整部３５は、調整にかかる予測時間が１００ｍｓの場合、Ｉｎｄｅｘ＝１の時間帯では調整を実行せず、Ｉｎｄｅｘ＝３の時間帯で調整を実行する。なお、調整部３５は、赤外線が照射されない時間かつ調整を実行するのに十分な時間がある時間帯になるたびに、ホワイトバランスや露出の調整を実行することもできる。
【００４１】
撮影部３６は、被写体を撮影する処理部である。具体的には、撮影部３６は、調整部３５による調整結果を用いて撮影を実行する。すなわち、撮影部３６は、赤外線が照射されていない時間帯の光を用いて調整されたホワイトバランス等を用いて、撮影を実行する。
【００４２】
この撮影部３６は、端末装置２０のユーザから撮影操作を受け付けたタイミングで、シャッターを切って、カメラ２７の画像を取り込む。このとき、撮影部３６は、赤外線照射情報３４を参照して、撮影操作を受け付けたタイミングが赤外線の照射時間が否かを判定する。
【００４３】
そして、撮影部３６は、撮影操作を受け付けたタイミングが赤外線の照射時間外である場合、そのまま撮影を実行する。一方、撮影部３６は、撮影操作を受け付けたタイミングが赤外線の照射時間である場合、照射されない照射時間外まで撮影を抑止し、照射されない照射時間外になると撮影を実行する。
【００４４】
［処理シーケンス］
図６は、実施例１に係る処理の流れを示すシーケンス図である。なお、端末装置２０および管理装置１０は、アクセスポイント７を介して、他の装置と通信を実行する。
【００４５】
図６に示すように、管理装置１０のプロセッサ１７は、事業者サーバ６にアクセスして時刻補正を実行する（Ｓ１０１とＳ１０２）。
【００４６】
続いて、管理装置１０のプロセッサ１７は、赤外線照射情報を生成し（Ｓ１０３）、生成した赤外線照射情報を赤外線照射装置５に送信して、赤外線の照射制御を実行する（Ｓ１０４とＳ１０５）。そして、赤外線照射装置５は、赤外線照射情報にしたがって、赤外線を照射する（Ｓ１０６）。
【００４７】
一方、端末装置２０の認証部３１は、ユーザ操作を受け付けると、ＨＤＤ２５等から識別情報を読み出して、管理装置１０に送信してユーザ認証を要求する（Ｓ１０７とＳ１０８）。
【００４８】
そして、管理装置１０のプロセッサ１７は、端末装置２０が送信した識別情報を用いて、ユーザ認証を実行する（Ｓ１０９）。ここでは、管理装置１０のプロセッサ１７は、受信した識別情報をＨＤＤ１５に記憶していることから、正当なユーザと判定し、認証許可を端末装置２０に応答する（Ｓ１１０とＳ１１１）。その後、管理装置１０のプロセッサ１７は、認証を許可した端末装置２０に、生成した公開鍵を送信する（Ｓ１１２とＳ１１３）。
【００４９】
なお、管理装置１０のプロセッサ１７は、受信した識別情報がＨＤＤ１５に記憶されてない場合、不正なユーザと判定し、認証許可を端末装置２０に応答して処理を終了する。
【００５０】
公開鍵を受信した端末装置２０の時刻補正部３２は、事業者サーバ６にアクセスして、時刻補正を実行する（Ｓ１１４とＳ１１５）。続いて、取得部３３は、赤外線照射情報の取得要求を管理装置１０に送信する（Ｓ１１６とＳ１１７）。このとき、取得部３３は、ユーザ認証が許可されていることを示す情報等を一緒に送信することもできる。
【００５１】
そして、管理装置１０のプロセッサ１７は、ユーザ認証が許可されている端末装置２０からの要求であることから、赤外線照射情報を自身の秘密鍵で暗号化して、端末装置２０に通知する（Ｓ１１８とＳ１１９）。なお、この例では、管理装置１０は、取得要求を送信した端末装置２０に赤外線照射情報を応答する例を説明したが、これに限定されるものではない。例えば、管理装置１０は、認証を許可した各端末装置２０に赤外線照射情報を配布するプッシュ方式を採用することもできる。
【００５２】
続いて、端末装置２０の取得部３３は、暗号化された赤外線照射情報を受信済みの管理装置１０の公開鍵で復号して赤外線照射情報を取り出して、メモリ２６等に格納する（Ｓ１２０）。そして、取得部３３は、赤外線照射情報を取得した応答を管理装置１０に送信する（Ｓ１２１とＳ１２２）。
【００５３】
その後、端末装置２０の調整部３５は、ホワイトバランスや露出の調整処理を実行し（Ｓ１２３）、撮影部３６は、その調整結果を用いて撮影処理を実行する（Ｓ１２４）。
【００５４】
［管理装置の赤外線照射処理］
図７は、管理装置が実行する赤外線照射処理の流れを示すフローチャートである。ここで説明する処理は、管理装置１０のプロセッサ１７が実行する。
【００５５】
図７に示すように、管理装置１０は、本処理を実行するプログラムに用いる変数の初期化を行った後（Ｓ２０１）、事業者サーバ６にアクセスして時刻補正を実行する（Ｓ２０２）。
【００５６】
続いて、管理装置１０は、乱数を発生させて（Ｓ２０３）、赤外線を照射する照射時間と赤外線を照射しない照射外時間とを決定する（Ｓ２０４）。なお、照射時間や照射外時間は、あらかじめその範囲を撮影環境に合わせて定めておくことができる。特に、少なくとも１つの照射外時間は、ホワイトバランスの調整や露出補正にかかる最低限の時間以上とする。
【００５７】
そして、管理装置１０は、決定した時間情報を用いて赤外線照射のスケジューリングを行って赤外線照射テーブルを作成し（Ｓ２０５）、赤外線照射情報としてメモリ１６等に保存する（Ｓ２０６）。
【００５８】
その後、管理装置１０は、赤外線照射情報における照射終了時刻からＮ秒を引いた時間が０秒より大きい場合（Ｓ２０７：Ｎｏ）、赤外線照射情報を順に読み出して、赤外線照射の制御を開始する（Ｓ２０８）。すなわち、管理装置１０は、赤外線照射情報にしたがって、赤外線照射の開始指示や停止指示を赤外線照射装置５に送信する。
【００５９】
そして、管理装置１０は、ユーザから停止操作を受け付けるまで、Ｓ２０６以降を繰り返して、赤外線の照射を制御する（Ｓ２０９：Ｎｏ）。一方で、管理装置１０は、ユーザから停止操作を受け付けると（Ｓ２０９：Ｙｅｓ）、赤外線の照射制御を停止する（Ｓ２１０）。
【００６０】
Ｓ２０７において、管理装置１０は、赤外線照射情報における照射終了時刻からＮ秒を引いた時間が０秒以下の場合（Ｓ２０７：Ｙｅｓ）、Ｓ２０２に戻って、新たな赤外線照射情報を生成する。ここでＮ（秒）とは、例えば新しい赤外線照射情報の作成から保存の処理、すなわちＳ２０２からＳ２０６までの処理にかかる時間を表す。つまり、Ｓ２０７の判定処理は、継続して赤外線照射を行う場合に新しい照射スケジュールが作成することなるため、赤外線の照射終了時刻が近づいているかどうか判断する処理である。
【００６１】
［管理装置の認証処理］
図８は、管理装置が実行する認証処理の流れを示すフローチャートである。ここで説明する処理は、管理装置１０のプロセッサ１７が実行する。
【００６２】
図８に示すように、管理装置１０は、本処理を実行するプログラムに用いる変数の初期化を行った後（Ｓ３０１）、事業者サーバ６にアクセスして時刻補正を実行する（Ｓ３０２）。
【００６３】
続いて、管理装置１０は、暗号化に用いる秘密鍵の生成を実行し（Ｓ３０３）、さらに公開鍵を生成して（Ｓ３０４）、認証の受付を開始する（Ｓ３０５）。
【００６４】
その後、管理装置１０は、端末装置から識別情報を受信すると（Ｓ３０６：Ｙｅｓ）、ユーザ認証を実行し（Ｓ３０７）、撮影許可された端末か否かを判定する（Ｓ３０８）。なお、認証処理には、端末個別番号や、ユーザＩＤとパスワードで行ってもよく、これらを組み合わせてもよい。
【００６５】
そして、管理装置１０は、撮影が許可されていない端末装置と判定した場合（Ｓ３０８：Ｎｏ）、ログに記録する、あるいはアラームを発生させるなどシステムの運用に合わせた任意の認証エラー処理を実行する（Ｓ３０９）。
【００６６】
一方、管理装置１０は、撮影が許可されている端末装置と判定した場合（Ｓ３０８：Ｙｅｓ）、端末装置に公開鍵を送信する（Ｓ３１０）。その後、管理装置１０は、公開鍵を送付した端末装置から赤外線情報の要求を受け付けると（Ｓ３１１）、赤外線照射情報を暗号化して（Ｓ３１２）、要求元の端末装置に送信する（Ｓ３１３）。
【００６７】
そして、管理装置１０は、ユーザから処理の終了指示を受け付けるまで（Ｓ３１４：Ｎｏ）、Ｓ３０６以降を繰り返し、ユーザから処理の終了指示を受け付けると（Ｓ３１４：Ｙｅｓ）、処理を終了する。
【００６８】
［端末装置の認証処理］
図９は、端末装置が実行する認証処理の流れを示すフローチャートである。図９に示すように、端末装置２０の認証部３１は、本処理を実行するプログラムに用いる変数の初期化を行った後（Ｓ４０１）、管理装置１０に識別情報を送信する（Ｓ４０２）。
【００６９】
そして、認証部３１は、識別情報の送信に失敗した場合（Ｓ４０３：Ｎｏ）、Ｓ４０２に戻ってリトライし、識別情報の送信に成功した場合（Ｓ４０３：Ｙｅｓ）、取得部３３は、管理装置１０に公開鍵の送信を要求する（Ｓ４０４）。
【００７０】
続いて、取得部３３は、公開鍵の受信に失敗した場合（Ｓ４０５：Ｎｏ）、Ｓ４０４に戻ってリトライし、公開鍵の受信に成功した場合（Ｓ４０５：Ｙｅｓ）、取得した公開鍵をメモリ２６等に保存する（Ｓ４０６）。
【００７１】
その後、取得部３３は、管理装置１０に赤外線照射情報を要求し（Ｓ４０７）、受信に成功するまで、Ｓ４０７以降をリトライする（Ｓ４０８：Ｎｏ）。そして、取得部３３は、赤外線照射情報の受信に成功すると（Ｓ４０８：Ｙｅｓ）、受信した赤外線照射情報を復号して（Ｓ４０９）、メモリ２６等に保存する（Ｓ４１０）。
【００７２】
続いて、取得部３３は、現在時刻を参照し（Ｓ４１１）、参照した時刻と赤外線照射情報とから、赤外線照射の終了時刻か否かを判定する（Ｓ４１２）。そして、取得部３３は、赤外線照射の終了時刻である場合（Ｓ４１２：Ｙｅｓ）、次の照射スケジュールを要求するために、Ｓ４０７以降を繰り返す。
【００７３】
その後、取得部３３は、赤外線照射の終了時刻ではない場合（Ｓ４１２：Ｎｏ）、ユーザから処理の終了指示を受け付けるまで（Ｓ４１３：Ｎｏ）、Ｓ４１１以降を繰り返し、ユーザから処理の終了指示を受け付けると（Ｓ４１３：Ｙｅｓ）、処理を終了する。
【００７４】
［端末装置の撮影処理］
図１０は、端末装置が実行する撮影処理の流れを示すフローチャートである。図１０に示すように、端末装置２０の調整部３５は、事業者サーバ６にアクセスして時刻補正を実行する（Ｓ５０１）。
【００７５】
続いて、調整部３５は、メモリ２６等から赤外線照射情報を読み込み（Ｓ５０２）、カメラ２７の撮影受光素子が受光中であるかどうかを確認する（Ｓ５０３）。
【００７６】
そして、調整部３５は、カメラ２７の撮影受光素子などのカメラファインダーが受光中である場合（Ｓ５０３：Ｙｅｓ）、現在の時刻を参照し（Ｓ５０４）、読み込んだ赤外線照射情報から赤外線の照射外時刻を参照する（Ｓ５０５）。
【００７７】
続いて、調整部３５は、現在の時刻が赤外線の照射外の時間帯である場合（Ｓ５０５：Ｙｅｓ）、赤外線照射情報から赤外線が照射されない時間の継続時間を確認する（Ｓ５０６）。
【００７８】
そして、調整部３５は、赤外線が照射されない時間の継続時間がホワイトバランスや露出補正にかかる補正時間より長い場合（Ｓ５０６：Ｙｅｓ）、ホワイトバランスや露出補正の処理を実行する（Ｓ５０７）。一方、調整部３５は、赤外線が照射されない時間の継続時間がホワイトバランスや露出補正にかかる補正時間より短い場合（Ｓ５０６：Ｎｏ）、Ｓ５０４以降を繰り返す。
【００７９】
その後、撮影部３６は、ユーザによる撮影ボタンの押下を検出した場合（Ｓ５０８：Ｙｅｓ）、現在の時刻を参照し（Ｓ５０９）、現在の時刻が赤外線の照射外の時間帯であるか否かを判定する（Ｓ５１０）。なお、ホワイトバランスや露出の調整後に撮影ボタンが押下されない場合（Ｓ５０８：Ｎｏ）、Ｓ５０２以降が繰り返される。
【００８０】
そして、撮影部３６は、現在の時刻が赤外線の照射外の時間帯である場合（Ｓ５１０：Ｙｅｓ）、カメラ画像の取り込み、すなわちＳ５０７で調整した調整結果を用いて画像撮影を行う（Ｓ５１１）。一方、撮影部３６は、現在の時刻が赤外線の照射外の時間帯ではない場合（Ｓ５１０：Ｎｏ）、Ｓ５０９に戻って、赤外線の照射外の時間帯になるまで、撮影を抑止する。
【００８１】
その後、撮影部３６は、ユーザから撮影の終了指示を受け付けるまで（Ｓ５１２：Ｎｏ）、Ｓ５０２以降を繰り返し、ユーザから撮影の終了指示を受け付けると（Ｓ５１２：Ｙｅｓ）、処理を終了する。
【００８２】
［タイムチャート］
図１１は、タイムチャートを示す図である。図１１は、赤外線が照射されている空間における撮影許可のカメラと撮影無許可のカメラの処理のタイミングを説明する図である。図１１のＡは、赤外線の照射タイミングを示しており、ＢとＣは、撮影無許可のカメラのタイムチャートを示し、ＤとＥは撮影許可されたカメラのタイムチャートを示す。
【００８３】
撮影無許可のカメラの場合、赤外線が照射されている時間が通知されていないので、Ｂのように、赤外線が照射されているときにホワイトバランスや露出の補正を行う可能性が高い。この場合、赤外線の分だけ撮像センサが周囲の状況を明るいと判断し、撮影時の露光時間を本来必要となる時間より短く設定してしまう。また、ホワイトバランスの調整も赤外線の影響を受けてしまう。さらに、Ｃのように赤外線が照射されているときにシャッターを切った場合は、撮影対象とともに赤外線が撮影されてしまい画像品質が低下する。また、このとき、たとえ赤外線照射がされていないタイミングで撮影したとしても、露光時間が短く設定されているため、撮影された画像は本来意図したものよりも暗く映ってしまう。また、ホワイトバランスも正しくないため色味も綺麗ではない。
【００８４】
一方、撮影を許可されたカメラの場合、Ｄのように、ホワイトバランスや露出補正を赤外線照射が行われていない時間帯に行われるので、正しい色味調整が行われ、かつ、正しい露光時間が撮影パラメータとして設定される。さらに、Ｅのように、撮影のシャッター自体も赤外線が照射されていない時間に行われるので、赤外線の影響を受けない画像の撮影が可能となる。
【００８５】
［効果］
上述したように、認証が許可される端末装置２０は、赤外線が照射されていない時間帯にホワイトバランス等を調整し、赤外線が照射されていない時間帯に撮影することができるので、画像品質の劣化を抑制できる。また、端末装置２０は、調整にかかる時間を確保できる照射外時間に、ホワイトバランス等を調整するので、調整の異常終了等を抑止でき、画像品質の不用意な劣化を抑止できる。また、端末装置２０は、照射時間にシャッターが押された場合でも、照射外時間になるまで撮影を抑止できるので、画像品質の劣化を抑制できる。
【００８６】
また、管理装置１０は、ホワイトバランス補正、露出補正、画像取り込み（撮影）の３つのタイミングを特定のカメラのみに通知することができるので、それらのタイミングを知ったカメラのみ赤外線の影響を受けずに被写体を撮影できる。撮影を許可された複数のカメラが存在する場合でも、それぞれのカメラ側で赤外線照射の合間に撮影パラメータの補正や画像取り込みを行うため、赤外線照射の頻度を落とすことなく、不正撮影防止の効果を維持することができる。
【００８７】
また、撮影許可を受けていないカメラが偶然、赤外線が照射されていない時間帯にシャッターを切ることがあっても、通常、カメラのホワイトバランスや露出補正はシャッターを切る前に定期的に行われている。このため、それらの補正はランダムな時間間隔で照射される赤外線の影響を受けている可能性が高い。つまり、たとえ赤外線照射が照射されていないときにシャッターが切られた場合でも、ホワイトバランス補正や露出補正のタイミングが適切でなければ撮影画像の質は低下する。
【実施例２】
【００８８】
さて、これまで本発明の実施例について説明したが、本発明は上述した実施例以外にも、種々の異なる形態にて実施されてよいものである。
【００８９】
［公開鍵の配信方法］
上記実施例では、管理装置１０が公開鍵を端末装置２０に配布する例を説明したが、これに限定されるものではない。例えば、管理装置１０は、撮影許可を与える際に、メモリカード、外部メモリ、各種ケーブルなどの有線接続、あるいはＷｉＦＩ（Wireless  Fidelity）、ＮＦＣ（Near  Field  Communication）などの無線接続等を介してオフラインで公開鍵を端末装置２０に配布することもできる。
【００９０】
［動画への適用］
上記実施例では、カメラによる撮影を例にして説明したが、静止画撮影であっても動画撮影であっても、上述した処理で同様に処理することができる。
【００９１】
［システム］
また、図示した装置の各構成は、必ずしも物理的に図示の如く構成されていることを要しない。すなわち、任意の単位で分散または統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９２】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９３】
なお、本実施例で説明した端末装置２０は、撮影プログラムを読み込んで実行することで、図５等で説明した処理と同様の機能を実行することができる。例えば、端末装置２０は、認証部３１、時刻補正部３２、取得部３３、調整部３４、撮影部３５と同様の機能を有するプログラムをメモリに展開する。そして、端末装置２０は、認証部３１、時刻補正部３２、取得部３３、調整部３４、撮影部３５と同様の処理を実行するプロセスを実行することで、上記実施例と同様の処理を実行することができる。
【００９４】
このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することができる。
【符号の説明】
【００９５】
２０  端末装置
３１  認証部
３２  時刻補正部
３３  取得部
３４  赤外線照射情報
３５  調整部
３６  撮影部
【図１】
0006269365.tif 000002
【図２】
0006269365.tif 000003
【図３】
0006269365.tif 000004
【図４】
0006269365.tif 000005
【図５】
0006269365.tif 000006
【図６】
0006269365.tif 000007
【図７】
0006269365.tif 000008
【図８】
0006269365.tif 000009
【図９】
0006269365.tif 000010
【図１０】
0006269365.tif 000011
【図１１】
0006269365.tif 000012